(57)【要約】【課題】任意の時間帯に故障検知を行った場合でも、故障検知により快適性が損なわれることを抑制することを目的としている。【解決手段】空間を照明する複数の照明機器のうち、一の照明機器と対応する位置に配置された照度検出部により検出した第一の照度と、前記一の照明機器の点灯状態を、前記第一の照度を検出したときの点灯状態から変更して前記照度検出部により検出した第二の照度と、を比較する照度比較部と、比較結果に応じて前記一の照明機器が故障しているか否かを判定する故障判定部と、を有する。【選択図】図１６
2016178044.tif 000002
【特許請求の範囲】
【請求項１】
空間を照明する複数の照明機器のうち、一の照明機器と対応する位置に配置された照度検出部により検出した第一の照度と、前記一の照明機器の点灯状態を、前記第一の照度を検出したときの点灯状態から変更して前記照度検出部により検出した第二の照度と、を比較する照度比較部と、
比較結果に応じて前記一の照明機器が故障しているか否かを判定する故障判定部と、を有する制御装置。
【請求項２】
前記第二の照度を取得した後に、前記一の照明機器の点灯状態を、前記第一の照度を取得したときの点灯状態に戻す点灯制御部を有する請求項１記載の制御装置。
【請求項３】
前記第一の照度を検出したときの点灯状態は、前記一の照明機器が点灯しているであり、
前記第二の照度を検出したときの点灯状態は、前記一の照明機器が消灯している状態であり、
前記故障判定部は、
前記第一の照度が前記第二の照度以下である場合に、前記一の照明機器を故障と判定する請求項１又は２記載の制御装置。
【請求項４】
前記第一の照度を検出したときの点灯状態は、前記一の照明機器が消灯しているであり、
前記第二の照度を検出したときの点灯状態は、前記一の照明機器点灯している状態であり、
前記故障判定部は、
前記第一の照度が前記第二の照度以上である場合に、前記一の照明機器を故障と判定する請求項１乃至３の何れか一項に記載の制御装置。
【請求項５】
前記照度検出部は、前記複数の照明機器の一部又は全部に前記照明機器と一体に設けられている請求項１乃至４の何れか一項に記載の制御装置。
【請求項６】
空間を照明する複数の照明機器と、前記照明機器の一部又は全部に前記照明機器と一体に設けられた照度検出部と、前記照明機器を制御する制御装置と、を有する制御システムであって、
前記複数の照明機器のうち、一の照明機器と対応する位置に配置された前記照度検出部により検出した第一の照度と、前記一の照明機器の点灯状態を、前記第一の照度を検出したときの点灯状態から変更して前記照度検出部により検出した第二の照度と、を比較する照度比較部と、
比較結果に応じて前記一の照明機器が故障しているか否かを判定する故障判定部と、を有する制御システム。
【請求項７】
空間を照明する複数の照明機器を制御する第一の制御装置と、前記第一の制御装置と通信する第二の制御装置と、を有する制御システムであって、
前記複数の照明機器のうち、一の照明機器と対応する位置に配置された照度検出部により検出した第一の照度と、前記一の照明機器の点灯状態を、前記第一の照度を検出したときの点灯状態から変更して前記照度検出部により検出した第二の照度と、を比較する照度比較部と、
比較結果に応じて前記一の照明機器が故障しているか否かを判定する故障判定部と、を有する制御システム。
【発明の詳細な説明】
【技術分野】
【０００１】
本発明は、照明機器を制御する制御装置及び制御システムに関する。
【背景技術】
【０００２】
近年では、様々な機能を有する照明機器が普及しつつある。その例として、例えば、照度センサを搭載し、室内の明るさによって、照明機器が発する光の明るさを変化させる調光機能を有する照明機器が知られている。また、他の例として、照明機器の照度を確認し、著しく照度が低い照明機器を故障と判別する故障検知機能を有する照明機器が知られている。
【発明の概要】
【発明が解決しようとする課題】
【０００３】
従来では、照明機器の故障検知は、室内に人がいない時間帯等に行われることが一般的である。従来では、このような時間帯に故障検出を行うことで、在室している人の意図しない照明機器の点灯や消灯等により、快適性が損なわれることを防止している。例えばオフィスでは、日中は室内に人がいる場合が多いことが想定されるため、故障検知は、夜間等に行われる。
【０００４】
このように、従来の故障検知は、室内に人がいない時間帯に行われることが前提であり、任意の時間帯に行うことが困難である。
【０００５】
開示の技術は、任意の時間帯に故障検知を行った場合でも、故障検知により快適性が損なわれることを抑制することを目的としている。
【課題を解決するための手段】
【０００６】
開示の技術は、空間を照明する複数の照明機器のうち、一の照明機器と対応する位置に配置された照度検出部により検出した第一の照度と、前記一の照明機器の点灯状態を、前記第一の照度を検出したときの点灯状態から変更して前記照度検出部により検出した第二の照度と、を比較する照度比較部と、比較結果に応じて前記一の照明機器が故障しているか否かを判定する故障判定部と、を有する。
【発明の効果】
【０００７】
開示の技術は、人の在／不在を問わない任意の時間帯に故障検知を行った場合でも、故障検知により快適性が損なわれることを抑制できる。
【図面の簡単な説明】
【０００８】
【図１】制御システムのシステム構成の一例を示す図である。
【図２】照明機器、タップ、空調機の設置例を示す図である。
【図３】人感センサによる人の検知を説明する図である。
【図４】照度センサによる照度データの取得を説明する図である。
【図５】センサモジュールを説明する図である。
【図６】照明機器を説明する図である。
【図７】センサモジュールと、照明機器とを一体化させた例を示す図である。
【図８】一体化ユニットの構成を説明する図である。
【図９】一体化ユニットの有する人感センサの検知方向を説明する図である。
【図１０】照明機器の配置の例を示す図である。
【図１１】制御サーバのハードウェア構成の一例を示す図である。
【図１２】第一の実施形態の制御サーバの機能構成を説明する図である。
【図１３】照明配置データベースの一例を示す図である。
【図１４】点灯状態データベースの一例を示す図である。
【図１５】第一の実施形態の照明制御部の機能を説明する図である。
【図１６】第一の実施形態の制御サーバの動作を説明するフローチャートである。
【図１７】第二の実施形態の制御システムのシステム構成の一例を示す図である。
【図１８】第二の実施形態の制御システムの各装置の有する機能を説明する図である。
【発明を実施するための形態】
【０００９】
以下に図面を参照して実施形態について説明する。図１は、制御システムのシステム構成の一例を示す図である。
【００１０】
制御システム１００は、制御サーバ２００、センサモジュール１０、電流センサ４００、照明機器５００、タップ６００、空調機７００を有する。
【００１１】
制御システム１００において、制御サーバ２００と、センサモジュール１０、電流センサ４００、照明機器５００、タップ６００、空調機７００とは、ネットワークＮを介して接続されている。また、制御サーバ２００は、ＰＣ８００とネットワークＮを介して接続されていても良い。ＰＣ８００は、例えば制御サーバ２００を管理する管理者等により使用されても良い。
【００１２】
制御サーバ２００は、センサモジュール１０及び電流センサ４００から取得したデータに基づき、照明機器５００、タップ６００、空調機７００を制御する。
【００１３】
センサモジュール１０は、人感センサ２５１、照度センサ３００、温湿度センサ３５０を有する。
【００１４】
人感センサ２５１は、赤外線等を検知することにより部屋内の人の有無を検出するサーモパイル型のセンサである。人感センサ２５１は、制御サーバ２００に接続されており、検出された人の有無データは、ネットワークＮを介して制御サーバ２００に送信される。
【００１５】
照度センサ３００は、部屋の明るさを検出するセンサである。温湿度センサ３５０は、部屋の温湿度を検出するセンサである。照度センサ３００と温湿度センサ３５０とは、検出したデータを、ネットワークＮを介して制御サーバ２００に送信される。
【００１６】
電流センサ４００は、照明機器５００、タップ６００、空調機７００に対して電力を供給する電源と接続されている。電流センサ４００は、電流量を検出し、検出した電流量のデータを、ネットワークＮを介して制御サーバ２００に送信する。
【００１７】
尚、制御サーバ２００は、上述した各センサと、照明機器５００、タップ６００、空調機７００のそれぞれと、例えば、Ｗｉ−Ｆｉ等の無線通信ネットワークで接続されていても良い。ただし通信方式は、Ｗｉ−Ｆｉに限定されるものではなく、その他の無線通信方式を利用しても良い。Ｅｔｈｅｒｎｅｔ（登録商標）ケーブルやＰＬＣ（Ｐｏｗｅｒ Ｌｉｎｅ Ｃｏｍｍｕｎｉｃａｔｉｏｎｓ）等の有線通信方式を利用することもできる。
【００１８】
照明機器５００は、例えばＬＥＤ照明を用いた照明機器である。タップ６００は、複数の機器に電源を供給するための器具である。空調機７００は、人間の快適性の向上目的や、生産、管理、貯蔵といった物品を扱う上での産業目的で、ある場所の空気の温度や湿度、清浄度、気流などを調整する機器である。
【００１９】
以下に、図２を参照して照明機器５００、タップ６００、空調機７００の室内における設置例について説明する。図２は、照明機器、タップ、空調機の設置例を示す図である。
【００２０】
図２の例では、室内には、６個の机で１つのグループが形成され、３つのグループが設けられている。照明機器５００とタップ６００は、１つの机に対してそれぞれ１つが設けられている。一方、空調機７００は、２つのグループの間に１つずつ設けられている。
【００２１】
尚、図２に示す照明機器５００、タップ６００、空調機７００の配置は一例であり、これに限定されるものではない。また、本実施形態では、例えば室外に設置された系統電力計測機器により、室内の全電力の総和を把握できるようになっている。
【００２２】
室内では、１８名のユーザが特定の業務活動を実施することが可能であり、室外への出入りは、２つの扉で行われる。尚、図２の例では、レイアウトや機器類やユーザ数等を限定しているが、より多種多様なレイアウト並びに機器類へ適用することできる。
【００２３】
照明機器５００、タップ６００、空調機７００のそれぞれは、制御サーバ２００により遠隔制御される。
【００２４】
照明機器５００は、制御サーバ２００により、照明範囲と照度が制御される。より具体的には、照明機器５００は、個別に遠隔制御可能なオン／オフスイッチが設置されており、Ｗｉ−Ｆｉによる無線制御方式により、スイッチのオン／オフが制御される。
【００２５】
照明機器５００は、低消費電力性を考慮して調光機能付きのＬＥＤ灯を利用しても良い。この場合、制御サーバ２００は、照明機器５００の調光機能に関してもＷｉ−Ｆｉ経由で遠隔制御を行っても良い。
【００２６】
尚、照明機器５００は、ＬＥＤ照明を用いたものに限定されない。照明機器５００は、例えば、白熱灯や蛍光灯等を用いたものも含む。
【００２７】
空調機７００は、制御サーバ２００により、電源のオン／オフが制御される。空調機７００は、個別に遠隔制御を行うことが可能であり、電源のオン／オフに加えて、風向き、送風強度等も制御される。また、空調機７００は、送風する風の温度や湿度についても制御されてもよい。
【００２８】
タップ６００は、複数のタップ口を備えたものであり、各タップ口は電源供給のオンオフが制御サーバ２００により制御される。タップ６００は、タップ口単位に個別に遠隔制御可能なオン／オフスイッチが設けられており、Ｗｉ−Ｆｉによる無線制御方式で制御サーバ２００にオン／オフが制御される。
【００２９】
尚、図２では、制御サーバ２００による制御対象である照明機器５００、タップ６００、空調機７００は室内に設けられたものとしたが、これに限定されない。制御サーバ２００の制御対象となる機器は、屋外に設置されていても良い。
【００３０】
次に、図３を参照し、人感センサ２５１による人の検知について説明する。図３は、人感センサによる人の検知を説明する図である。
【００３１】
図３では、人感センサ２５１を、４×４素子（画素）を備えるサーモパイル型センサとし、１６分割したエリア毎に人の在／不在や人の位置を検出する例を示している。尚、図３では、人感センサ２５１は、室内の天井に設けられている。
【００３２】
人感センサ２５１は、エリア毎に温度を検知し、人がいる場合は画素を有効（「１」）とし、人がいない場合は画素を無効（「０」）として、人の在／不在を表す簡素化したデータを例えば無線機３０に転送する。データは無線機から制御サーバ２００に転送される。
【００３３】
制御サーバ２００は、物品及び構造物に対する発熱体の相対位置情報を取得する発熱体相対位置情報取得部を備えており、制御サーバ２００に保存された室内レイアウトデータと照合し、室内のどの場所に発熱体、すなわち人がいるかを特定する。
【００３４】
次に、図４を参照し、照度センサ３００による照度データの取得について説明する。図４は、照度センサによる照度データの取得を説明する図である。
【００３５】
図４では、照度センサ３００は、室内の天井に設けられており、自身の下側の空間（照度検知エリア）の照度データを取得する。取得された照度データは、例えば無線機３０に転送され、制御サーバ２００に転送される。
【００３６】
照度センサ３００は、定期的に取得した照度データを制御サーバ２００に送信しても良い。また、照度センサ３００は、照度データを取得した際に、照度データの変化を検出したとき、照度データを制御サーバ２００へ送信しても良い。
【００３７】
次に、図５を参照して、センサモジュール１０について説明する。図５は、センサモジュールを説明する図である。
【００３８】
センサモジュール１０は、人感センサ２５１、照度センサ３００、温湿度センサ３５０に加え、センサドライバ１１、無線モジュール１２、アンテナＩ／Ｆ（インターフェース）１３、アンテナ１４を有する。
【００３９】
センサモジュール１０において、各センサは、それぞれが取得したデータを、センサドライバ１１を介して無線モジュール１２へ渡す。無線モジュール１２は、アンテナＩ／Ｆ１３とアンテナ１４を介して、無線機３０にデータを送信する。
【００４０】
次に、図６を参照して、照明機器５００について説明する。図６は、照明機器を説明する図である。
【００４１】
照明機器５００は、ＬＥＤ照明を用いたものであり、調光機能を有するものとした。
【００４２】
照明機器５００は、ＬＥＤ５０１、ＬＥＤドライバ５０２、無線モジュール５０３、アンテナＩ／Ｆ５０４、アンテナ５００を有する。
【００４３】
照明機器５００は、複数のＬＥＤ５０１を有する。ＬＥＤドライバ５０２は、アンテナ５０５とアンテナＩ／Ｆ５０４を介して制御サーバ２００から調光のための制御データを受信し、ＬＥＤを駆動し、調光する。
【００４４】
照明機器５００は、センサモジュール１０と一体化されていても良い。図７は、センサモジュールと、照明機器とを一体化させた例を示す図である。
【００４５】
図７に示す一体化ユニット５００Ａは、センサドライバ１１とＬＥＤドライバ５０２により共有されるアンテナ７１、アンテナＩ／Ｆ７２、無線モジュール７３を有している。
【００４６】
以下に、図８を参照し、一体化ユニットについてさらに説明する。図８は、一体化ユニットの構成を説明する図である。図８（Ａ）は、一体化ユニット５００Ａの端部の拡大図であり、図８（Ｂ）は、一体化ユニットの側面図である。図８（Ｂ）の側面図は、一体化ユニット５００Ａを図８（Ａ）に示す矢印方向に見た際の側面図である。
【００４７】
一体化ユニット５００Ａでは、２つの人感センサ２５１がＬＥＤ５０１取付けられている。尚、人感センサ２５１は、例えばサーモパイルである。２つの人感センサ２５１は、それぞれの検知方向が異なるように、ＬＥＤ５０１に取り付けられている。
【００４８】
一体化ユニット５００Ａは、各種センサを含むため、照明機器５００と各種センサを、同時に配置することができ、設置の手間、コスト、スペースを削減できる。また、一体化ユニット５００Ａでは、人感センサ２５１の検知方向を異ならせることで温度分布の検知範囲を拡大することができる。
【００４９】
また、一体化ユニット５００Ａは、ＬＥＤ５０１の円周方向に回動可能であり、人感センサ２５１の検知方向を調整できるようになっている。
【００５０】
図９は、一体化ユニットの有する人感センサの検知方向を説明する図である。図９（Ａ）は人感センサの検知方向を説明する第一の図であり、図９（Ｂ）は人感センサの検知方向を説明する第二の図である。
【００５１】
一体化ユニット５００Ａは、例えば図９（Ａ）に示すように、ＬＥＤ管取付器具５０６のＬＥＤ５０１の取付面が傾いている場合等に、図９（Ｂ）に示すよう、一体化ユニット５００Ａを矢印方向に回動させて、人感センサ２５１の検知方向を調整できる。
【００５２】
次に、図１０を参照し、照明機器５００の配置について説明する。図１０は、照明機器の配置の例を示す図である。本実施形態では、照明機器５００は、室内に配置されるものとした。また、室内に配置される複数の照明機器５００は、その一部を一体化ユニット５００Ａにしても良い。
【００５３】
図１０に示すように、照明機器５００を列毎に管理する。図１０では、室内の最も窓に近い窓側の列をＡ列とし、１列にｎ台の照明機器５００が設置されている。また、本実施形態では、Ａ列と隣接する列をＢ列、Ｂ列と室内の奥に向かう側で隣接する列をＣ列というように、列を識別する。
【００５４】
尚、一体化ユニット５００Ａは、例えば照明機器５００と照明機器５００の間に配置されても良い。
【００５５】
これらの照明機器５００と一体化ユニット５００Ａの配置の情報は、制御サーバ２００に予め格納される。
【００５６】
図１１は、制御サーバのハードウェア構成の一例を示す図である。
【００５７】
制御サーバ２００は、それぞれバスＢで相互に接続されている入力装置２１、出力装置２２、ドライブ装置２３、補助記憶装置２４、メモリ装置２５、演算処理装置２６及びインターフェース装置２７を含む。
【００５８】
入力装置２１はキーボードやマウス等を含み、各種信号を入力するために用いられる。出力装置２２はディスプレイ装置等を含み、各種ウインドウやデータ等を表示するために用いられる。インターフェース装置２７は、モデム、ＬＡＮカード等を含み、ネットワークに接続する為に用いられる。
【００５９】
後述する故障検知プログラムは、制御サーバ２００を制御する各種プログラムの少なくとも一部である。故障検知プログラムは例えば記録媒体２８の配布やネットワークからのダウンロードなどによって提供される。故障検知プログラムを記録した記録媒体２８は、ＣＤ−ＲＯＭ、フレキシブルディスク、光磁気ディスク等の様に情報を光学的、電気的或いは磁気的に記録する記録媒体、ＲＯＭ、フラッシュメモリ等の様に情報を電気的に記録する半導体メモリ等、様々なタイプの記録媒体を用いることができる。
【００６０】
また、故障検知プログラムは、故障検知プログラムを記録した記録媒体２８がドライブ装置２３にセットされるとは記録媒体２８からドライブ装置２３を介して補助記憶装置２４にインストールされる。ネットワークからダウンロードされた故障検知プログラムは、インターフェース装置２７を介して補助記憶装置２４にインストールされる。
【００６１】
補助記憶装置２４は、インストールされた故障検知プログラムを格納すると共に、必要なファイル、データ等を格納する。メモリ装置２５は、コンピュータの起動時に補助記憶装置２４から故障検知プログラムを読み出して格納する。そして、演算処理装置２６はメモリ装置２５に格納された故障検知プログラムに従って、後述するような各種処理を実現している。
【００６２】
（第一の実施形態）
次に、図面を参照して第一の実施形態の制御サーバ２００について説明する。本実施形態の制御サーバ２００は、故障検知の処理を行う際に、各照明機器５００又は一体化ユニット５００Ａの点灯状態に応じた照度データに基づき故障している照明機器５００又は一体化ユニット５００Ａを特定する。尚、以下の説明では、照明機器５００又は一体化ユニット５００Ａを単に照明機器５００と呼ぶ。
【００６３】
すなわち、本実施形態では、照明機器５００それぞれの点灯状態を維持したまま、故障検知を行う。したがって、本実施形態では、照明機器５００の点灯状態を在室している人の意図した通りに維持しつつ、故障検知を行うことができる。
【００６４】
このため、本実施形態では、室内の人の在／不在を考慮する必要がなく、任意の時間帯に故障検知を行うことができる。
【００６５】
図１２は、第一の実施形態の制御サーバの機能構成を説明する図である。本実施形態の制御サーバ２００は、照明配置データベース２１０、点灯状態データベース２２０を有する。また、本実施形態の制御サーバ２００は、通信部２３０、消費電力管理部２４０、人感処理部２５０、機器制御部２６０を有する。
【００６６】
照明配置データベース２１０は、照明機器５００の配置に関する情報が格納されている。点灯状態データベース２２０は、各照明機器５００又は一体化ユニット５００Ａの点灯状態を示す情報と、照明機器５００が故障状態を示す情報とが格納されている。点灯状態とは、照明機器５００が点灯しているか、又は消灯しているかを示している。故障状態とは、照明機器５００が故障しているか、又は正常であるかを示している。
尚、本実施形態の各データベースは、制御サーバ２００の補助記憶装置２４等に設けられていても良い。各データベースの詳細は後述する。
【００６７】
本実施形態の通信部２３０は、照明機器５００、タップ６００に接続された電気機器、空調機７００から、それぞれが消費した消費電力を受信する。また、通信部２３０は、照明機器５００、タップ６００、空調機７００に対して電力制御を行うための制御信号を送信する。消費電力管理部２４０は、通信部２３０を介して取得した消費電力を管理する。
【００６８】
人感処理部２５０は、人感センサ２５１から収集されたデータに基づき、人の在／不在を検出する。
【００６９】
機器制御部２６０は、照明制御部２７０と、コンセント制御部２８０と、空調制御部２９０とを備えている。
【００７０】
照明制御部２７０は、故障検知部２７３を有し、人感センサ２５１と照度センサ３００のそれぞれから取得したデータに基づき、照明機器５００及び一体化ユニット５００Ａを制御する。照明制御部２７０の詳細は後述する。
【００７１】
コンセント制御部２８０は、タップ６００のタップ口に対して、タップ口のスイッチをオンオフにする制御信号を送信する。空調制御部２９０は、人感処理部２５０による人間の在／不在に応じて空調機７００の電源のオン／オフを制御する。
【００７２】
以下に、図１３及び図１４を参照し、制御サーバ２００の有する各データベースについて説明する。
【００７３】
図１３は、照明配置データベースの一例を示す図である。本実施形態の照明配置データベース２１０は、情報の項目として、照度センサＩＤ、照度検知エリア、照明ＩＤ、配列を有する。照明配置データベース２１０では、項目「照度センサＩＤ」の値と、その他の項目との値とが対応付けられている。以下の説明では、項目「照度センサＩＤ」の値と、その他の項目との値を含むデータを照明配置データと呼ぶ。
【００７４】
項目「照度センサＩＤ」の値は、照度センサ３００のそれぞれに付与された識別情報であり、照度センサ３００を特定するためのものである。項目「照度検知エリア」の値は、対応する照度センサＩＤが付与された照度センサ３００により照度が検知されるエリアを示す座標である。本実施形態では、項目「照度検知エリア」の値は、４点の座標値である。
【００７５】
項目「照明ＩＤ」の値は、照明機器５００及び一体化ユニット５００Ａのそれぞれに付与された識別情報である。項目「配列」の値は、対応する照明ＩＤが付与された照明機器５００及び一体化ユニット５００Ａが含まれる列を示す。
【００７６】
図１４は、点灯状態データベースの一例を示す図である。本実施形態の点灯状態データベース２２０は、情報の項目として、照明ＩＤと、点灯フラグと、故障フラグと、を有し、２つのフラグは照明ＩＤと対応付けられている。
【００７７】
本実施形態の点灯状態データベース２２０では、項目「点灯フラグ」の値がＯＮである場合、対応する照明ＩＤで特定される照明機器５００が点灯していることを示す。また、点灯状態データベース２２０において、項目「点灯フラグ」の値がＯＦＦである場合、対応する照明ＩＤで特定される照明機器５００が消灯していることを示す。
【００７８】
また、本実施形態では、項目「故障フラグ」の値が「１」である場合、対応する照明ＩＤが付与された照明機器５００が故障と判定されたことを示す。また、項目「故障フラグ」の値が「０」である場合、対応する照明ＩＤが付与された照明機器５００が正常と判定されたことを示す。
【００７９】
以下の説明では、項目「照明ＩＤ」の値と、項目「照明ＩＤ」と対応付けられた他の項目の値とを含む情報を点灯状態情報と呼ぶ。  
次に、図１５を参照して、照明制御部２７０について説明する。図１６は、第一の実施形態の照明制御部の機能を説明する図である。
【００８０】
本実施形態の照明制御部２７０は、センサデータ取得部２７１、点灯制御部２７２、故障検知部２７３を有する。
【００８１】
センサデータ取得部２７１は、照度センサ３００から照度データを取得する。点灯制御部２７２は、取得した照度に応じて、照明機器５００及び一体化ユニット５００ＡのＬＥＤ５０１の点灯／消灯及び照度を制御する。具体的には、例えば、点灯制御部２７２は、照度センサ３００から照度を取得したエリアに人間が居ない場合すれば、照明機器５００及び一体化ユニット５００Ａの照度を所定値より低くする。
【００８２】
本実施形態の故障検知部２７３は、室内の照明機器５００及び一体化ユニット５００Ａの故障を検知する。
【００８３】
本実施形態の故障検知部２７３は、点灯状態取得部２７４、照度比較部２７５、故障判定部２７６、故障通知部２７７を有する。
【００８４】
本実施形態の点灯状態取得部２７４は、故障検知処理の実行指示を受け付けると、点灯状態データベース２２０を参照し、照明機器５００毎の点灯状態を取得する。
【００８５】
照度比較部２７５は、照明機器５００毎の点灯状態において取得した照度データと、照明機器５００毎に点灯状態を変更して取得した照度データとを比較する。
【００８６】
故障判定部２７６は、比較結果に応じて、照度の差が所定値以上となる照明機器５００を特定する。
【００８７】
故障通知部２７７は、故障と判定された照明機器５００や一体化ユニット５００Ａが存在した場合に、制御サーバ２００の管理者等に故障を通知する。故障通知部２７７は、例えばＰＣ８００等に、故障を検知したこと、故障と判定された照明機器５００や一体化ユニット５００Ａを通知しても良い。
【００８８】
次に、図１６を参照し、本実施形態の制御サーバ２００の動作について説明する。図１６は、第一の実施形態の制御サーバの動作を説明するフローチャートである。
【００８９】
本実施形態の制御サーバ２００は、点灯状態取得部２７４により、照明機器５００の列の番号を示す変数ｉ＝１に設定する（ステップＳ１６０１）。続いて制御サーバ２００は、点灯状態取得部２７４により、ｉ列に並べられた照明機器５００の番号を示す変数ｋ＝１に設定する（ステップＳ１６０２）。
【００９０】
続いて制御サーバ２００は、照度比較部２７５により、照明配置データベース２１０を参照し、ｉ列ｋ番目に配置された照明機器５００の周辺に配置された照度センサ３００の照度（初期値）を取得する（ステップＳ１６０３）。すなわち、照度比較部２７５は、照明配置データベース２１０において、ｉ列ｋ番目に配置された照明機器５００と対応する照度センサ３００の照度を取得する。
【００９１】
続いて制御サーバ２００は、点灯状態取得部２７４により、点灯状態データベース２２０を参照し、ｉ列ｋ番目に配置された照明機器５００の点灯状態を参照する（ステップＳ１６０４）。
【００９２】
ステップＳ１６０４において、点灯状態データベース２２０のｉ列ｋ番目の照明ＩＤと対応する点灯フラグがＯＮであった場合（ステップＳ１６０５）、照度比較部２７５は、点灯制御部２７２により、ｉ列ｋ番目に配置された照明機器５００を消灯させる（ステップＳ１６０６）。このとき、点灯状態データベース２２０では、該当する照明機器５００の点灯フラグがＯＦＦとされる。
【００９３】
続いて照度比較部２７５は、ｉ列ｋ番目に配置された照明機器５００の周辺に配置された照度センサ３００の照度を取得する（ステップＳ１６０７）。尚、ステップＳ１６０７で値が取得される照度センサ３００は、ステップＳ１６０３で値が取得された照度センサ３００と同位置のものである。
【００９４】
続いて照度比較部２７５は、ステップＳ１６０３で取得した初期値が、ステップＳ１６０７で取得した値より大きいか否かを判定する（ステップＳ１６０８）。すなわち、照度比較部２７５は、ｉ列ｋ番目の照明機器５００の点灯時の照度と消灯時の照度とを比較し、点灯時の照度の方が消灯時の照度よりも大きいか否かを判定している。
【００９５】
ステップＳ１６０８において、ステップＳ１６０３で取得した値が、ステップＳ１６０７で取得した値より大きい場合、故障判定部２７６は、ｉ列ｋ番目に配置された照明機器５００を正常と判定する。そして、故障判定部２７６は、点灯状態データベース２２０において、該当する故障判定フラグの値を「０」とする（ステップＳ１６０９）。
【００９６】
また、ステップＳ１６０８において、ステップＳ１６０３で取得した初期値が、ステップＳ１６０７で取得した値以下の場合、故障判定部２７６は、ｉ列ｋ番目に配置された照明機器５００を故障と判定する。そして、故障判定部２７６は、点灯状態データベース２２０において、該当する故障判定フラグの値を「１」とする（ステップＳ１６１０）。
【００９７】
次に、ステップＳ１６０４において、点灯状態データベース２２０のｉ列ｋ番目の照明ＩＤと対応する点灯フラグがＯＦＦであった場合（ステップＳ１６１１）、照度比較部２７５は、点灯制御部２７２により、ｉ列ｋ番目に配置された照明機器５００を点灯させる（ステップＳ１６１２）。このとき、点灯状態データベース２２０では、該当する照明機器５００の点灯フラグがＯＮとされる。
【００９８】
続いて照度比較部２７５は、ｉ列ｋ番目に配置された照明機器５００の周辺に配置された照度センサ３００の照度を取得する（ステップＳ１６１３）。尚、ステップＳ１６１３で値が取得される照度センサ３００は、ステップＳ１６０３で値が取得された照度センサ３００と同位置のものである。
【００９９】
続いて照度比較部２７５は、ステップＳ１６０３で取得した値が、ステップＳ１６１３で取得した値より小さいか否かを判定する（ステップＳ１６１４）。すなわち、照度比較部２７５は、ｉ列ｋ番目の照明機器５００の消灯時の照度と点灯時の照度とを比較し、消灯時の照度の方が点灯時の照度よりも小さいか否かを判定している。
【０１００】
ステップＳ１６１４において、ステップＳ１６０３で取得した値が、ステップＳ１６１３で取得した値より小さい場合、故障判定部２７６は、ステップＳ１６０９へ進み、ｉ列ｋ番目に配置された照明機器５００を正常と判定する。
【０１０１】
ステップＳ１６１４において、ステップＳ１６０３で取得した値が、ステップＳ１６１３で取得した値以上である場合、故障判定部２７６は、ステップＳ１６１０へ進み、ｉ列ｋ番目に配置された照明機器５００を故障と判定する。
【０１０２】
ステップＳ１６０９、１７１０に続いて、点灯状態取得部２７４は、点灯状態データベース２２０におけるｉ列ｋ番目の照明機器５００の点灯フラグがＯＮであるか否かを判定する（ステップＳ１６１５）。
【０１０３】
ステップＳ１６１５において、点灯フラグがＯＮの場合、点灯状態取得部２７４は、点灯制御部２７２により、該当する照明機器５００を消灯させ、点灯状態データベース２２０における該当する照明機器５００の点灯フラグをＯＦＦとする（ステップＳ１６１６）。
【０１０４】
ステップＳ１６１５において、点灯フラグがＯＮでない場合、点灯状態取得部２７４は、点灯制御部２７２により、該当する照明機器５００を点灯させ、点灯状態データベース２２０における該当する照明機器５００の点灯フラグをＯＮとする（ステップＳ１６１７）。
【０１０５】
すなわち、本実施形態の故障検知部２７３は、照明機器５００の点灯状態を、初期値に戻す。
【０１０６】
ステップＳ１６１６、１７１７に続いて、故障検知部２７３は、照明配置データベース２１０を参照し、ｋ番目の照明機器５００がｉ列の最後であるか否かを判定する（ステップＳ１６１８）。ステップＳ１６１８において、最後の照明機器５００でない場合、故障検知部２７３は、変数ｋ＝ｋ＋１とし（ステップＳ１６１９）、ステップＳ１６０３へ戻る。
【０１０７】
ステップＳ１６１９において、最後の照明機器５００である場合、故障検知部２７３は、変数ｉ＝ｉ＋１とする（ステップＳ１６２０）。続いて故障検知部２７３は、次の列が無いか否かを判定する（ステップＳ１６２１）。つまり、故障検知部２７３は、ｉ列目が最後の列か否かを判定する。
【０１０８】
ステップＳ１６２１において、次の列がある場合、故障検知部２７３は、ステップＳ１６０２へ戻る。ステップＳ１６２１において次の列がない場合、処理を終了する。
【０１０９】
尚、本実施形態の制御サーバ２００は、故障通知部２７７により、故障検知部２７３の処理が終了した後に、点灯状態データベース２２０の故障フラグが「１」とされた照明機器５００の照明ＩＤ等を、ＰＣ８００等に通知しても良い。
【０１１０】
以上のように、本実施形態では、故障検知の処理を開始するときの点灯状態における照度と、点灯状態を変更した後の照度とに基づきこの照明機器５００が故障しているか否かを判定し、判定後は点灯状態を元に戻す。
【０１１１】
すなわち、本実施形態では、故障か否かの判定対象となる照明機器５００以外の照明機器５００は、故障検知処理の開始前の状態を維持することできる。したがって、本実施形態によれば、故障検知対象の照明機器５００が照らすエリア以外のエリアにいる人の快適性を損なうことがなく、故障検知による影響を最小エリアに限定できる。また、本実施形態では、故障検知対象の照明機器５００について、判定が行われた後に、照明機器５００の点灯状態が元に戻される。したがって、本実施形態では、故障検知により影響を受ける時間を短くすることができる。
【０１１２】
このように、本実施形態では、故障検知処理を行った場合の在室している人に対する快適性が考慮されているため、任意の時間帯に故障検知を行うことができる。よって、本実施形態によれば、制御システム１００の管理者等の負担を軽減することもできる。
【０１１３】
（第二の実施形態）
以下に図面を参照して第二の実施形態について説明する。本実施形態では、故障検知部２７３の機能を制御サーバ２００の外部の装置に設けた点が第一の実施形態と相違する。よって、以下の第二の実施形態の説明では、第一の実施形態との相違点についてのみ説明し、第一の実施形態と同様の機能構成を有するものには、第一の実施形態の説明で用いた符号と同様の符号を付与し、その説明を省略する。
【０１１４】
図１７は、第二の実施形態の制御システムのシステム構成の一例を示す図である。本実施形態の制御システム１００Ａは、制御サーバ２００Ａと、サーバ９００とを有する。制御サーバ２００Ａとサーバ９００とは、例えばネットワークを介して接続されている。
【０１１５】
本実施形態の制御システム１００Ａでは、制御サーバ２００Ａが故障検知対象の照明機器５００と対応する照度センサ３００の照度を取得して、この照明機器５００の点灯フラグの値と共にサーバ９００へ送信する。
【０１１６】
サーバ９００は、センサデータ取得部９０１と、点灯状態取得部９０２と、故障検知部２７３を有する。センサデータ取得部９０１は、制御サーバ２００Ａから照度を取得する。点灯情報取得部９０２は、制御サーバ２００Ａから点灯フラグの値を取得する。故障検知部２７３は、照度と点灯フラグの値とを用いて、上述した故障検知処理を行う。
【０１１７】
図１８は、第二の実施形態の制御システムの各装置の有する機能を説明する図である。
【０１１８】
本実施形態の制御サーバ２００Ａは、照明配置データベース２１０、点灯状態データベース２２０、通信部２３０、消費電力管理部２４０、人感処理部２５０、機器制御部２６０Ａを有する。機器制御部２６０Ａは、照明制御部２７０Ａと、コンセント制御部２８０、空調制御部２９０を有する。通信部２３０は、サーバ９００との通信も行う。
【０１１９】
照明制御部２７０Ａは、センサデータ取得部２７１と、点灯制御部２７２とを有し、故障検知部２７３は有していない。
【０１２０】
本実施形態のサーバ９００は、センサデータ取得部９０１と、点灯状態取得部９０２と、故障検知部２７３と、を有する。
【０１２１】
本実施形態では、制御サーバ２００Ａにおいて、故障検知処理の実行指示が成されると、制御サーバ２００Ａは、照明制御部２７０Ａのセンサデータ取得部２７１により取得した照度データをサーバ９００へ送信する。
【０１２２】
サーバ９００は、センサデータ取得部９０１により照度を取得すると、点灯状態取得部９０２により、点灯状態データベース２２０を参照し、点灯フラグの値を取得する。そして、故障検知部２７３による故障検知処理を行う。
【０１２３】
サーバ９００は、故障が検知されると、故障が検知されたことと、故障している照明機器５００及び／又は一体化ユニット５００Ａを制御サーバ２００Ａに通知する。
【０１２４】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１２５】
１００、１００Ａ  制御システム
２００、２００Ａ  制御サーバ
２１０  照明配置データベース
２２０  点灯状態データベース
２５１  人感センサ
２６０  機器制御部
２７０  照明制御部
２７１、９０１  センサデータ取得部
２７２  点灯制御部
２７３  故障検知部
２７４  点灯状態取得部
２７５  照度比較部
２７６  故障判定部
２７７  故障通知部
２９０  空調制御部
３００  照度センサ
３５０  温湿度センサ
４００  電流センサ
９００  サーバ
９０２  点灯状態取得部
【先行技術文献】
【特許文献】
【０１２６】
【特許文献１】特開２０１２−４３７２９号公報
【図１】
2016178044.tif 000003
【図２】
2016178044.tif 000004
【図３】
2016178044.tif 000005
【図４】
2016178044.tif 000006
【図５】
2016178044.tif 000007
【図６】
2016178044.tif 000008
【図７】
2016178044.tif 000009
【図８】
2016178044.tif 000010
【図９】
2016178044.tif 000011
【図１０】
2016178044.tif 000012
【図１１】
2016178044.tif 000013
【図１２】
2016178044.tif 000014
【図１３】
2016178044.tif 000015
【図１４】
2016178044.tif 000016
【図１５】
2016178044.tif 000017
【図１６】
2016178044.tif 000018
【図１７】
2016178044.tif 000019
【図１８】
2016178044.tif 000020